(57)【特許請求の範囲】
【請求項１】
内部に空間（Ｓ1 ）を有し、内周面部に段部（１ａ）を有すると共に底面部に蒸散口（２）を有し、外周面部を上面開放型の有底容器とした蚊取線香容器（３）の開口部に嵌合可能とした皿状体（Ａ）と、内部に空間（Ｓ2 ）を有し、内周面部に段部（１ｂ）を有すると共に底面部に灰溜め（７）を有し、外周面部を前記蚊取線香容器（３）の開口部に嵌合可能とした皿状体（Ｂ）とをそれぞれの開口部側で互いに嵌合可能とし、さらに前記皿状体（Ａ、Ｂ）の段部（１ａ、１ｂ）の双方に断熱性ネットユニット（８）を空間（Ｓ1 、Ｓ2 ）を介して着脱自在として取り付け、渦巻状蚊取線香（Ｋ）が互いの断熱性ネットユニット（８、８）間に挟まれるようにしたことを特徴とする蚊取線香容器の線香皿。
【請求項２】
内部に空間（Ｓ1 ）を有し、内周面部に段部（１ａ）を有すると共に底面部に蒸散口（２）を有し、外周面部を上面開放型の有底容器とした蚊取線香容器（３）の開口部に嵌合可能とした皿状体（Ａ）と、内部に空間（Ｓ2 ）を有し、内周面部に段部（１ｂ）を有すると共に底面部に灰溜め（７）を有し、外周面部を前記蚊取線香容器（３）の開口部に嵌合可能とした皿状体（Ｂ）とをそれぞれの開口部側で互いに嵌合可能とし、さらに前記皿状体（Ａ）の底面部の中央部に押さえ手段（５）を設け、前記皿状体（Ｂ）の段部（１ｂ）に断熱性ネットユニット（８）を空間（Ｓ2 ）を介して着脱自在として取り付け、渦巻状蚊取線香（Ｋ）が押さえ手段（５）により断熱性ネットユニット（８）側に押さえ付けられるようにしたことを特徴とする蚊取線香容器の線香皿。
【発明の詳細な説明】
【０００１】
【産業上の利用分野】
この発明は、蚊取線香容器の蓋体を兼ねた線香皿に関するものである。
【０００２】
【従来の技術】
従来、この種の蚊取線香容器の線香皿は、蓋体を兼ねた皿状体の底面部に、ガラス繊維、石綿等から成る不燃性のマットを敷設したものが存在する。
【０００３】
このような従来の蚊取線香容器の線香皿を使用するときには、先ず、蚊取線香容器から蓋体を兼ねた皿状体を取り外し、この皿状体を引っ繰り返しマットを敷設した側を上に向ける。そして、蚊取線香容器から渦巻状蚊取線香を取り出すと共に点火し、この蚊取線香を前記皿状体に敷設したマットの上に置けば良い。
【０００４】
【発明が解決しようとする課題】
しかしながら、上記従来の蚊取線香容器の線香皿においては、渦巻状蚊取線香の灰が皿状体に敷設したマットの上に溜まるので、線香皿を使用する毎にこの灰を捨て去らないと、新しい蚊取線香をマットの上に置けないという課題を有していた。
【０００５】
さらに、上記従来の蚊取線香容器の線香皿においては、長期間の使用により蚊取線香の灰がマットの内部まで入り込みマットが汚れ易く、さらにこのマットの内部まで入り込んだ灰は、マットを洗浄しても簡単には落とすことができないという課題を有していた。
【０００６】
そこで、この発明は、上記従来の蚊取線香容器の線香皿が有する課題を解決するものであり、線香皿に溜まった蚊取線香の灰の捨てる回数を減らすことができると共に、線香皿が蚊取線香の灰で汚れても洗浄すれば簡単に汚れを落とすことのできる蚊取線香容器の線香皿を提供することを目的としている。
【０００７】
【課題を解決するための手段】
そのため、この発明の蚊取線香容器の線香皿は、内部に空間Ｓ1 を有し、内周面部に段部１ａを有すると共に底面部に蒸散口２を有し、外周面部を上面開放型の有底容器とした蚊取線香容器３の開口部に嵌合可能とした皿状体Ａと、内部に空間Ｓ2 を有し、内周面部に段部１ｂを有すると共に底面部に灰溜め７を有し、外周面部を前記蚊取線香容器３の開口部に嵌合可能とした皿状体Ｂとをそれぞれの開口部側で互いに嵌合可能とし、さらに前記皿状体Ａ、Ｂの段部１ａ、１ｂの双方に断熱性ネットユニット８を空間Ｓ1 、Ｓ2 を介して着脱自在として取り付け、渦巻状蚊取線香Ｋが互いの断熱性ネットユニット８、８間に挟まれるようにしたものとしている。
【０００８】
また、この発明の蚊取線香容器の線香皿は、内部に空間Ｓ1 を有し、内周面部に段部１ａを有すると共に底面部に蒸散口２を有し、外周面部を上面開放型の有底容器とした蚊取線香容器３の開口部に嵌合可能とした皿状体Ａと、内部に空間Ｓ2 を有し、内周面部に段部１ｂを有すると共に底面部に灰溜め７を有し、外周面部を前記蚊取線香容器３の開口部に嵌合可能とした皿状体Ｂとをそれぞれの開口部側で互いに嵌合可能とし、さらに前記皿状体Ａの底面部の中央部に押さえ手段５を設け、前記皿状体Ｂの段部１ｂに断熱性ネットユニット８を空間Ｓ2 を介して着脱自在として取り付け、渦巻状蚊取線香Ｋが押さえ手段５により断熱性ネットユニット８側に押さえ付けられるようにしたものとしている。
【００１０】
【作用】
この発明の蚊取線香容器の線香皿は、上記構成としたため、線香皿として使用するときには、皿状体Ａ、Ｂの段部１ａ、１ｂの双方に取り付けられた断熱性ネットユニット８の間に点火した蚊取線香を挟むことができる。そして、蚊取線香の灰は、断熱性ネットユニット８を通り抜けて落下し、灰溜め７に溜まる。なお、この灰溜め７に溜まった灰は、断熱性ネットユニット８を皿状体Ａ、Ｂに取り付けたまま捨てることができる。
【００１１】
さらに、前記断熱性ネットユニット８は、皿状体Ａ、Ｂに空間部Ｓ１  、Ｓ２  を介して取り付けているので、空気の対流が起こり、蚊取線香の蒸散成分が効率よく拡散する。
【００１２】
また、この発明の蚊取線香容器の線香皿は、断熱性ネットユニット８が汚れた場合には、皿状体Ａ、Ｂの段部１ａ、１ｂから外して洗浄すれば、簡単に汚れを落とすことができる。
【００１３】
【実施例】
以下、この発明の蚊取線香容器の線香皿を、実施例として示した図面に基づいて説明する。
【００１４】
図は、この発明の線香皿を蚊取線香容器の開口部に嵌合した状態を示しており、図１〜２はその第一実施例、図３はその第二実施例、図４はその第三実施例をそれぞれ示している。
【００１５】
この発明の蚊取線香容器の線香皿は、皿状体Ａと皿状体Ｂとからなり、それぞれの開口部側で互いに嵌合可能としている。すなわち、第一実施例に示したものでは、皿状体Ａの開口部を小径とし、皿状体Ｂの開口部を大径として互いに嵌合可能とし、第二、三実施例に示したものでは、皿状体Ａの開口部を大径とし、皿状体Ｂの開口部を小径として互いに嵌合可能としている。なお、皿状体Ａ、皿状体Ｂは、前記したように嵌合可能として互いに外れ難くし、安全性をはかっているが、皿状体Ａ、皿状体Ｂに適宜係止手段を設ける等して、より外れ難くし、安全性を向上させることもできる。
【００１６】
前記皿状体Ａは、内周面部に段部１ａを有すると共に底面部に蒸散口２を有し、外周面部の略下半部をテーパ面４ａとする等して上面開放型の有底容器とした蚊取線香容器３の開口部に嵌合可能としている。また、第三実施例では、前記皿状体Ａには、図４、５に示したように、底面部の中央部に押さえ手段５および蒸散補助口６を設けたものとしている。なお、この押さえ手段５は、ギザギザ形状としたり、渦巻状蚊取線香Ｋの中心部の孔に差し込み可能な形状として、底面部の中央部を打ち出したものとしたり、耐熱性を有する面状部材を底面部の中央部に固着したものとして、蚊取線香を確実に押さえておけるようにすることができる。さらに、前記押さえ手段５は、必要に応じて皿状体Ｂに設けることもできる。
【００１７】
前記皿状体Ｂは、内周面部に段部１ｂを有すると共に底面部に灰溜め７を有し、外周面部の略下半部をテーパ面４ｂとする等して前記蚊取線香容器３の開口部に嵌合可能としている。
【００１８】
さらに、前記皿状体Ａ、Ｂの段部１ａ、１ｂのいずれか一方または双方に、断熱性ネットユニット８を空間Ｓ１  、Ｓ２  を介して着脱自在として取り付けたものとしている。すなわち、第一、二実施例では、図１、３に示したように、皿状体Ａ、Ｂの段部１ａ、１ｂの双方に断熱性ネットユニット８を取り付けたものとし、第三実施例では、図４に示したように、皿状体Ｂの段部１ｂに断熱性ネットユニット８を取り付けたものとしている。なお、前記段部１ａ、１ｂは、図６に示した第四実施例のように、皿状体Ａ、Ｂのテーパ面４ａ、４ｂからそれぞれ開口部にかけて延設したフランジ部９ａ、９ｂの内周面部に形成したものとしてもよい。
【００１９】
前記断熱性ネットユニット８は、図７に示したように、表面にガラス繊維や石綿等の断熱材を付着させたネット８ａをネット支持枠８ｂに張設したものとしている。
【００２０】
そして、前記皿状体Ａ、Ｂの外周面部のいずれか一方には、吊下げ手段１０が取り付けられたものとしている。この吊下げ手段１０は、実施例では、紐や針金を輪形状にしたものとしているが、これに限定されるものではない。
【００２１】
さらに、前記蚊取線香容器３には、手提げ手段１１が取り付けられたものとしている。この手提げ手段１１は、長尺の金属板や針金を略半円形状にしたものとしているが、これに限定されるものではない。
【００２２】
このように構成されたこの発明の蚊取線香容器の線香皿は、線香皿として使用しないときには、図１、３、４に示したように、渦巻状蚊取線香Ｋが収納された蚊取線香容器３の開口部に、皿状体Ａの外周面部の略下半部を嵌合して、蓋体としている。
【００２３】
そして、線香皿として使用するときには、先ず、蚊取線香容器３からこの発明の線香皿を取り外し、皿状体Ａ側を上に向けると共に皿状体Ｂとの嵌合を外す。次に、蚊取線香容器３から渦巻状蚊取線香Ｋを取り出すと共に点火し、この蚊取線香Ｋを前記皿状体Ｂの断熱性ネットユニット８の上に置く。さらに、皿状体Ｂに皿状体Ａを嵌合し、図８、９に示したように、この皿状体Ｂの外周面部の略下半部を前記蚊取線香容器３の開口部に嵌合すればよい。この場合、第一、二実施例では、皿状体Ａ、Ｂの段部１ａ、１ｂの双方に断熱性ネットユニット８を取り付けたものとしているので、図８に示したように、渦巻状蚊取線香Ｋが互いの断熱性ネットユニット８の間に挟まれて安定した状態となる。また、第三実施例では、皿状体Ｂの段部１ｂにのみ断熱性ネットユニット８を取り付けたものとしているが、皿状体Ａに押さえ手段５を設けているので、図９に示したように、渦巻状蚊取線香Ｋがこの押さえ手段５により断熱性ネットユニット８側に押さえ付けられ安定した状態となる。このようにして、この発明の蚊取線香容器の線香皿は蚊取線香容器３に設置した状態で使用することができる。
【００２４】
また、この発明の蚊取線香容器の線香皿は、皿状体Ａ、Ｂの何れか一方に吊下げ手段１０を取り付けているので、前記したように蚊取線香容器３に設置した状態で使用しないでも、適宜個所に吊り下げて使用することもできる。
【００２５】
【発明の効果】
この発明の蚊取線香容器の線香皿は、以上に述べたように構成されているので、線香皿に溜まった蚊取線香の灰の捨てる回数を減らすことができると共に、線香皿が蚊取線香の灰で汚れても洗浄すれば簡単に汚れを落とすことができるものとなった。
【図面の簡単な説明】
【図１】この発明の蚊取線香容器の線香皿の第一実施例を示しており、蚊取線香容器の開口部に嵌合した状態を示す一部断面正面図である。
【図２】図１に示すこの発明の蚊取線香容器の線香皿の平面図である。
【図３】この発明の蚊取線香容器の線香皿の第二実施例を示しており、蚊取線香容器の開口部に嵌合した状態を示す一部省略断面図である。
【図４】この発明の蚊取線香容器の線香皿の第三実施例を示しており、蚊取線香容器の開口部に嵌合した状態を示す一部断面正面図である。
【図５】この発明の蚊取線香容器の線香皿の第三実施例における皿状体Ａの底面図である。
【図６】この発明の蚊取線香容器の線香皿の第四実施例を示す断面図である。
【図７】この発明の蚊取線香容器の線香皿における断熱性ネットユニットの平面図である。
【図８】この発明の蚊取線香容器の線香皿の第一実施例の使用状態を示す一部断面正面図である。
【図９】この発明の蚊取線香容器の線香皿の第三実施例の使用状態を示す一部断面正面図である。
【符号の説明】
１ａ  段部
１ｂ  段部
２  蒸散口
３  蚊取線香容器
７  灰溜め
１０  吊下げ手段
１１  手提げ手段
Ａ  皿状体
Ｂ  皿状体
Ｓ１  空間
Ｓ２  空間
【図１】
0003603149.tif 000002
【図２】
0003603149.tif 000003
【図３】
0003603149.tif 000004
【図４】
0003603149.tif 000005
【図５】
0003603149.tif 000006
【図６】
0003603149.tif 000007
【図７】
0003603149.tif 000008
【図８】
0003603149.tif 000009
【図９】
0003603149.tif 000010